(57)【要約】【課題】  レンズをしっかり保持しつつ眼鏡フレームのデザイン性をより高めることができ、かつ、安価に製造することが可能な眼鏡フレームを提供する。【解決手段】  左右の智を連結する第一のリム１１と、この第一のリム１１と一体に設けられ、レンズを保持する第二のリム１２とを有し、第一のリム１１及び第二のリム１２が板材から切り抜いて又は打ち抜いて形成される眼鏡フレームにおいて、切り抜き又は打ち抜き前に、第一のリム１１と第二のリム１２とが併置され、かつ、第一のリム１１と第二のリム１２とが同一平面内に形成されたブリッジ部１３で一体に形成され、切り抜き又は打ち抜き後に、ブリッジ部１３を折り曲げることで、第一のリム１１と第二のリム１２とを所定の位置関係になるように配置した構成とした。【選択図】  図１
2011209331.tif 000002
【特許請求の範囲】
【請求項１】
左右の智を連結する第一のリムと、この第一のリムと一体に設けられ、レンズを保持する第二のリムとを有し、前記第一のリム及び前記第二のリムが板材から切り抜いて又は打ち抜いて形成される眼鏡フレームにおいて、
切り抜き又は打ち抜き前に、前記第一のリムと前記第二のリムとが併置され、かつ、前記第一のリムと前記第二のリムとが同一平面内に形成されたブリッジ部で一体に形成され、
切り抜き又は打ち抜き後に、前記ブリッジ部を折り曲げることで、前記第一のリムと前記第二のリムとを所定の位置関係になるように配置したこと、
を特徴とする眼鏡フレーム。
【請求項２】
前記第一のリムを湾曲状に形成するとともに、前記第二のリムを前記第一のリムよりも曲率の大きい円弧状又は直線状に形成したことを特徴とする請求項１に記載の眼鏡フレーム。
【請求項３】
前記ブリッジ部を複数回折り曲げることで、前記第一のリムに対する前記第二のリムの位置合わせを行うことを特徴とする請求項１又は２に記載の眼鏡フレーム。
【請求項４】
前記ブリッジ部に鼻脚又は高張力糸の連結部を一体に形成したことを特徴とする請求項１〜３のいずれかに記載の眼鏡フレーム。
【請求項５】
請求項１〜４のいずれかに記載の眼鏡フレームの製造方法であって、
前記第一のリムと前記第二のリムとを同一板材に隣接して配置するとともに前記第一のリムのブリッジ部で前記第二のリムを前記第一のリムに対して一体に形取りし、
前記板材から前記第一のリム、前記第二のリム及び前記ブリッジ部を切り抜き又は打ち抜き、
前記第一のリム及び前記第二のリムの各々を所定形状に形成するとともに、前記ブリッジを折り曲げることで、前記第一のリムと前記第二のリムとを所定の位置関係に配置したこと、
を特徴とする眼鏡フレームの製造方法。
【請求項６】
請求項５に記載の眼鏡フレームの製造方法において、前記第一のリム，前記第二のリム及び前記ブリッジ部若しくはこれらと鼻脚又は高張力糸の連結部とを、板材から切り出し又は打ち抜きによって一体に形成することを特徴とする眼鏡フレームの製造方法。
【発明の詳細な説明】
【技術分野】
【０００１】
本発明は、左右の智を連結するリム（第一のリム）とレンズを保持するリム（第二のリム）とを有する二重リムの眼鏡フレームに関し、第一のリムによって眼鏡フレームのデザインの自由度を高めることのできる眼鏡フレーム及びその製造方法に関する。
【背景技術】
【０００２】
眼鏡フレームには、レンズの全体をリムに保持させるフルリムタイプ、レンズの一部をリムに保持させ、他を高張力糸に支持させるハーフリムタイプ、レンズを保持するリムを有しないリムレスタイプがある。
フルリムタイプとハーフリムタイプの眼鏡フレームは、リムがレンズを保持する機能を有することから、レンズの形状によってデザイン設計の自由度が制限され、リムレスタイプはリムによって眼鏡フレームをデザインするという前提が存在しない。
その一方で、眼鏡フレームのデザインを種々に設計したいという要望は高く、近年、フロント部分にリム（このリムを「フロントフレーム」と称することがある）を有するものの、レンズの保持機能を有しない眼鏡フレームも出現している。
【０００３】
このように、レンズの保持機能を実質的にフロントフレームから分離させる提案例としては、特許文献１，２で開示されたものを挙げることができる。
特許文献１に記載のリムレスメガネは、智を連結するフロントフレームを有しているが、レンズは止着部品とボルトとでブリッジに支持されるようになっている。
また、特許文献２に記載のレンズ位置調整メガネでは、フロントフレームがレンズを直接保持せず別体に設けられた左右各レンズフレーム１３によってレンズが保持されるようにしている。
【先行技術文献】
【特許文献】
【０００４】
【特許文献１】特開２００５−３０９３４５号公報
【特許文献２】特開２００５−１１５２９８号公報
【発明の開示】
【発明が解決しようとする課題】
【０００５】
しかし、上記した特許文献１，２に記載の発明は、特許文献１が、リムレスメガネのレンズに無理な応力が掛かるのを防ぎ、且つ、視野を広げ、清潔に保てるようにすることを目的とし、特許文献２が、眼の非対称性に対して簡単な方法でレンズを適合させるようにすることを目的としており、眼鏡フレームのデザイン設計の自由度を高めるということを目的としていない。特許文献１では、図３に示すように、レンズをブリッジにボルト止めすることから、レンズとの関係からフロントフレームの設計の自由度は制限されるし、特許文献２では、智を連結するリム（第一のリム）とレンズを保持するリム（第二のリム）とが針金状に形成され、かつ、両者を互いに係合させているため、レンズの位置調整のために第二のリムを変形させると、その影響が第一のリムにも及んでしまい、眼鏡フレーム全体に対するデザイン設計の自由度がやはり制限されることになる。
【０００６】
また、特許文献１，２に記載の眼鏡フレームは、部品点数や組立工数が従来の眼鏡フレームに比して増大することから、眼鏡フレームの価格が高くなるという問題もある。
本発明は、上記の問題に鑑みてなされたもので、レンズをしっかり保持しつつ眼鏡フレームのデザイン性をより高めることができ、かつ、安価に製造することが可能な眼鏡フレーム及びこの眼鏡フレームの製造方法の提供を目的とする。
【課題を解決するための手段】
【０００７】
上記課題を解決するために、本発明の眼鏡フレームは、請求項１に記載するように、左右の智を連結する第一のリムと、この第一のリムと一体に設けられ、レンズを保持する第二のリムとを有し、前記第一のリム及び前記第二のリムが板材から切り抜いて又は打ち抜いて形成される眼鏡フレームにおいて、切り抜き又は打ち抜き前に、前記第一のリムと前記第二のリムとが併置され、かつ、前記第一のリムと前記第二のリムとが同一平面内に形成されたブリッジ部で一体に形成され、切り抜き又は打ち抜き後に、前記ブリッジ部を折り曲げることで、前記第一のリムと前記第二のリムとを所定の位置関係になるように配置した構成としてある。
【０００８】
本発明の眼鏡フレームは、金属板等の板材から切り抜き又は打ち抜いた後にそれぞれを所定形状に形成することで得られる。
上記構成によれば、第一のリムと第二のリムとがブリッジ部分で一体に形成されているので、打ち抜き又は切り出した後にブリッジ部を折り曲げるだけで、第一のリムと第二のリムの配置を決めることができ、また、第一のリム及び第二リムをそれぞれ所定形状に形成することで、簡単かつ安価に所望のデザインの眼鏡フレームを得ることができる。
【０００９】
このように、本発明では前記第一のリム及び第二のリムのそれぞれを自由にデザイン設計することができ、例えば、請求項２に記載するように、第一のリムを湾曲状に形成してスポーツタイプのデザインとすることができる。この場合、前記第二のリムは、レンズを保持することができるように、レンズの曲率に合わせて前記第一のリムよりも曲率の大きい円弧状又は直線状となる。そして、このような場合において、第二のリムを第一のリムよりも後方に配置すると、第一のリムと第二のリムとが交差することになり、斬新なデザインの眼鏡フレームを得ることができる。
【００１０】
板上における前記第一のリムと前記第二のリムとの配置間隔は、前記第一のリムのデザインに応じて種々変更するのが好ましい。例えば、前記第一のリムと前記第二のリムとの配置間隔を大きくした場合には、請求項３に記載するように、前記ブリッジ部を複数回折り曲げることで、前記第一のリムに対する前記第二のリムの位置合わせを行えばよい。
また、上記したように、本発明における第一のリム及び第二のリムは、金属板等を打ち抜き加工又は切り抜き加工して形成することができるから、請求項４に記載するように、鼻パッドの支持脚及び高張力糸の連結部を第一のリム，第二のリム又は前記ブリッジ部に一体に形成することができる。
【００１１】
上記構成の眼鏡フレームは、請求項５又は請求項６に記載する製造方法で製造することができる。
すなわち、請求項５に記載の発明は、請求項１〜４のいずれかに記載の眼鏡フレームの製造方法であって、前記第一のリムと前記第二のリムとを同一板材に隣接して配置するとともに前記第一のリムのブリッジ部で前記第二のリムを前記第一のリムに対して一体に形取りし、前記板材から前記第一のリム、前記第二のリム及び前記ブリッジ部を切り抜き又は打ち抜き、前記第一のリム及び前記第二のリムの各々を所定形状に形成するとともに、前記ブリッジを折り曲げることで、前記第一のリムと前記第二のリムとを所定の位置関係に配置した構成としてもよい。
【発明の効果】
【００１２】
本発明の眼鏡フレームによれば、第一のフレームのデザインを眼鏡フレームの外観に応じて設計し、レンズを保持する第二のフレームから独立したデザインとすることができるので、デザインの自由度の高い眼鏡フレームを安価に製造することができる。
【発明を実施するための最良の形態】
【００１３】
以下、本発明の好適な実施形態を、図面を参照しながら詳細に説明する。
図１は、本発明の眼鏡フレームの第一の実施形態にかかり、その展開状態を示す平面図である。
この実施形態の眼鏡フレームは、左右の智を連結する第一のリム１１と、このリムに併設されたレンズを保持する片持ち状の第二のリム１２とを有する。
第一のリム１１の左右両端には、ヒンジを含む智に連結される智連結部１６が形成され、中央にはブリッジ部１３が形成されている。この実施形態において、第一のリム１１と第二のリム１２とは、それぞれ独立してデザイン設計が可能で、第一のリム１１は、眼鏡フレームのデザインの一部を構成するようにその形状が設計されている。
【００１４】
第二のリム１２は、第一のリム１１の後方に延びるブリッジ部１３の左右一対の脚部１２ａに一体に形成され、図示しないレンズの周縁部の凹部と係合するようになっている。第二のリム１２は、第一のリム１１と独立してデザイン設計できるように、先端が智と連結されない片持ち状に形成されている。
また、脚部１２ａにおける第二のリム１２の基部近傍には、鼻パッドが取り付けられる鼻脚１４と、高張力糸が連結される高張力糸連結部１５が形成されている。なお、高張力糸が連結される高張力糸連結部１５は、第二のリム１２の両端にも形成されていて、第二のリム１２と高張力糸連結部１５に連結した高張力糸とでレンズを保持するようになっている。
【００１５】
図２は、本発明の眼鏡フレームの他の実施形態にかかり、その展開図を示すものである。
この実施形態において、先の実施形態と同一の部材，同一の部位には同一の符号を付している。
この実施形態の眼鏡フレーム１０では、ブリッジ部１３の脚部１２ａが先の実施形態の脚部１２ａよりも少し長く形成されていて、第一のリム１１と第二のリム１２とが、先の実施形態よりも若干離間して配置されている。そして、ブリッジ部１３を複数回屈曲させることで、金属板から切り出した第一のリム１１に対して第二のリム１２を所定の位置関係に配置することができる。
図２の実施形態では、第一のリム１１と第二のリム１２とを離間して配置しているので、後述するように金属板から第一のリム１１や第二のリム１２を切り出す際又は打ち抜く際の作業が容易になるという利点がある。
【００１６】
図３及び図４は、本発明の眼鏡フレームのさらに他の実施形態にかかり、その展開図を示すものである。
図３の例に示すように、鼻脚１４は、第一のリム１１と第二のリム１２との間のブリッジ部１３に設けることができる。
また、図４の例に示すように、鼻脚１４は、第一のリム１１側のブリッジ部１３に設けることができる。
【００１７】
上記構成の第一のリム１１，第二のリム１２，ブリッジ部１３，鼻脚１４，高張力糸連結部１５及び智連結部１６は、チタンやステンレス等の金属板に打ち抜き加工又は切り抜き加工を施すことで形成することができる。
そして、ブリッジ部１３を折り曲げることで、第一のリム１１及び第二のリム１２を適切な位置に配置する。図１及び図４に示す実施形態では、第一のリム１１と第二のリム１２とが近接した位置に配置されているので、ブリッジ部１３を逆Ｕ字状に一回折り曲げることで、第一のリム１１と第二のリム１２を所定の位置関係に位置させることができる。図２及び図３に示す実施形態では、第一のリム１１と第二のリム１２とが離間して配置されているので、ブリッジ部１３をＵ字状に複数回折り曲げることで、第一のリム１１と第二のリム１２とを所定の位置関係に位置させることができる。
【００１８】
また、高張力糸連結部１５及び智連結部１６を適切な形状に折り曲げる。この後、智連結部１６にヒンジ４を介してテンプル５を折り畳み自在に取り付け、鼻脚１４に鼻パッド３を取り付ける。また、第二のリム１２の高張力糸連結部１５に高張力糸を連結し、レンズ２の周縁の凹溝を第二のリム１２に嵌め込みつつ前記高張力糸を引っ張ってレンズ２を第二のリム１２に固定する。
以上の手順で、例えば図５又は図６に示すような眼鏡が完成する。
【００１９】
図５の眼鏡では、第一のリム１１の後方に第二のリムが配置されている。また、第一のリム１１の曲率半径が第二のリム１２の曲率半径より小さくなるように形成されている。これは、第一のリム１１が、スポーツタイプサングラスのように、利用者の顔面に沿った形状となるように設計されているためのである。第二のリム１２の曲率半径は、保持するレンズ２の曲率半径に合わせてある。このような曲率の違いのため、図５の眼鏡フレームでは、後方に配置した第二のリム１２の先端が、第一のリム１１の下方を通って、第一のリム１１から外側に張り出すようになっている。
【００２０】
また、図６の眼鏡では、第一のリム１１の前方に第二のリムが配置されている。第一のリム１１の曲率半径と第二のリム１２の曲率半径とはほぼ一致している。そのため、この眼鏡の眼鏡フレームでは、第一のリム１１の前面に第二のリム１２が平行に配置されている。
図５及び図６に示すように、本発明の眼鏡フレームでは、第一のリム１１と第二のリム１２はどちらが前方になっても後方になってもよいし、同じ位置に上下に配置することも可能である。
このように、本発明では、第一のリム１１と第二のリムのデザインを、それぞれ独立して行うことができ、かつ、その前後配置も自由であるので眼鏡フレームのデザイン設計の自由度を高めることができる。
【００２１】
本発明の好適な実施形態について説明したが、本発明の接続構造は上記のものに限られない。
例えば、上記の説明で第一のリム１１は、スポーツタイプのサングラスのように利用者の顔面に沿った曲率となるように形成されているが、本発明はレンズ２を保持する第二のリム１２と無関係に第一のリム１１を設計することが可能であるので、第一のリムのデザインを種々選択することが可能である。
また、図５及び図６の眼鏡において、レンズは第二のリム１２に保持させるものとして説明したが、レンズの保持は、第一のリム１１及び第二のリム１２のいずれか一方であってもよいし、その両方であってもよい。
さらに、本発明の第一のリム１１，第二のリム１２又はブリッジ部１３には、各種のアクセサリを装着してもよい。例えば、第一のリム１１や第二のリムに、装飾用の別体のリムや、レンズ保持用のフルリムタイプ又はハーフリムタイプのリムを取り付けてもよい。
【産業上の利用可能性】
【００２２】
本発明は、ハーフリム眼鏡に限らずフルリム眼鏡にも適用が可能である。
【図面の簡単な説明】
【００２３】
【図１】本発明の眼鏡フレームの第一の実施形態にかかり、その展開状態を示す平面図である。
【図２】本発明の眼鏡フレームの第二の実施形態にかかり、その展開図である。
【図３】本発明の眼鏡フレームのさらに他の実施形態にかかり、その展開状態を示す平面図である。
【図４】本発明の眼鏡フレームのさらに他の実施形態にかかり、その展開状態を示す平面図である。
【図５】図１〜図４のいずれかに記載の眼鏡フレームを用いた眼鏡の一例にかかり、（ａ）はその平面図、（ｂ）はその正面図、（ｃ）はその側面図である。
【図６】図１〜図４のいずれかに記載の眼鏡フレームを用いた眼鏡の一例にかかり、その平面図である。
【符号の説明】
【００２４】
１０：眼鏡フレーム
１１：第一のリム
１２：第二のリム
１３：ブリッジ部 
１４：鼻脚
１５：高張力糸連結部
１６：智連結部
２：レンズ
３：鼻パッド
４：ヒンジ
５：テンプル
【図１】
2011209331.tif 000003
【図２】
2011209331.tif 000004
【図３】
2011209331.tif 000005
【図４】
2011209331.tif 000006
【図５】
2011209331.tif 000007
【図６】
2011209331.tif 000008